(57)【要約】【課題】リーダライタ本体の設置方向に関係なく、利用者が表示手段に表示された画像を常に認識し易くすることのできる非接触リーダライタを提供する。【解決手段】記録媒体からのデータの読み取り及び当該記録媒体へのデータの書き込みを非接触で行う非接触リーダライタであって、リーダライタ本体の前面に配置され、画像を表示する表示手段１１と、前記前記リーダライタ本体の設置角度を検出する傾斜センサ３５と、傾斜センサ３５の検出結果に基づいて表示手段１１に表示される画像を変更制御する制御手段２０と、を備える。【選択図】図１２
2013020628.tif 000002
【特許請求の範囲】
【請求項１】
記録媒体からのデータの読み取り及び当該記録媒体へのデータの書き込みを非接触で行う非接触リーダライタであって、
リーダライタ本体の前面に配置され、画像を表示する表示手段と、
前記リーダライタ本体の設置角度を検出する傾斜センサと、
前記傾斜センサの検出結果に基づいて前記表示手段に表示される画像を変更制御する制御手段と、
を備えることを特徴とする非接触リーダライタ。
【請求項２】
請求項１に記載の非接触リーダライタにおいて、
前記制御手段は、前記表示手段に表示される画像の上下方向を変更することを特徴とする非接触リーダライタ。
【発明の詳細な説明】
【技術分野】
【０００１】
本発明は、商品やサービスの広告情報が提供される多数の場所（例えば、店舗内外、キャンペーン会場内、駅構内等）に設置され、ＲＦＩＤ（Radio Frequency Identification）等から成るＩＣ（Integrated Circuit）タグ、ＩＣカード、ＩＣチップが搭載された携帯機器等の記録媒体に記録された情報を非接触にて読み取り、又は書き込む非接触リーダライタの技術分野に関する。
【背景技術】
【０００２】
近年、携帯電話機の普及に伴い、商品やサービスの情報を電子メールにて配信するといった情報提供システムが普及している。特に最近では、商品やサービスの情報の中でも利用者が特に興味を持った情報を選別して配信する種々の工夫がなされている。この種の情報提供システムとして、例えば情報管理者は、予め利用者にＩＣタグを配布しておき、商品やサービスのポスター等の広告媒体の背後にＩＣタグに記録されたＩＤ（IDentifier）を読み取る非接触リーダライタを備えた端末を屋外や店舗内等に設置し、利用者は興味を持った商品やサービスのポスター等に自己が所有するＩＣタグを翳すことにより、背後に設置された非接触リーダライタによってＩＣタグのＩＤが読み取られ、ポスター等に告知された広告の詳細な情報や、当該詳細な情報を提供する情報提供サーバのＵＲＬ（Uniform Resource Locator）が、上記端末から利用者の携帯電話機に電子メールを通じて提供されるシステムがある。
【０００３】
ところで、上記非接触リーダライタには、例えば特許文献１に開示された発明がある。この非接触リーダライタは、文字表示を可能とする表示手段を設け、この表示手段に非接触式ＩＣカードが受け付け可能か否かの状態を文字言語あるいは記号にて表示することにより、利用者は、非接触式リーダライタが使用可能であるかどうかを察することができるようにしたものである。
【先行技術文献】
【特許文献】
【０００４】
【特許文献１】特開２００６−４２０５号公報
【発明の概要】
【発明が解決しようとする課題】
【０００５】
しかしながら、上記特許文献１に開示された従来の非接触リーダライタは、表示手段に、単に非接触式ＩＣカードが受け付け可能か否かの状態を文字言語あるいは記号にて表示する構成であるため、リーダライタ本体の設置方向により、利用者にとっては、表示手段に表示された文字言語あるいは記号の上下が逆になる場合がある。その結果、表示手段に表示された画像や文字を利用者が認識しにくいという不具合がある。
【０００６】
特に、リーダライタ本体を壁面に取り付けた場合、取付状況によっては表示手段に表示された画像や文字の方向が上下逆になる場合があり、この場合には上記のように画像や文字を利用者が認識しにくいだけでなく、見栄えが悪く、非接触リーダライタとしての商品価値が著しく損なわれるという問題もある。
【０００７】
そこで、本発明は上記事情を考慮してなされたもので、リーダライタ本体の設置方向に関係なく、利用者が表示手段に表示された画像を常に認識し易くすることのできる非接触リーダライタを提供することを目的とする。
【課題を解決するための手段】
【０００８】
上述した課題を解決するため、請求項１に記載の発明は、記録媒体からのデータの読み取り及び当該記録媒体へのデータの書き込みを非接触で行う非接触リーダライタであって、リーダライタ本体の前面に配置され、画像を表示する表示手段と、前記リーダライタ本体の設置角度を検出する傾斜センサと、前記傾斜センサの検出結果に基づいて前記表示手段に表示される画像を変更制御する制御手段と、を備えることを特徴とする。
【０００９】
請求項２に記載の発明は、請求項１に記載の非接触リーダライタにおいて、前記制御手段は、前記表示手段に表示される画像の上下方向を変更することを特徴とする。
【発明の効果】
【００１０】
請求項１に記載の発明によれば、リーダライタ本体の前面に配置され、画像を表示する表示手段と、前記リーダライタ本体の設置角度を検出する傾斜センサと、この傾斜センサの検出結果に基づいて表示手段に表示される画像を変更制御する制御手段とを備えることにより、リーダライタ本体を卓上に設置した場合、壁面に設置した場合、あるいは情報管理者が首から紐で吊り下げた場合でも、表示手段に表示された画像を正しい方向に変更することで、利用者が画像を常に認識し易くすることができる。また、例えば卓上に設置した場合と、壁面に設置した場合及び情報管理者が首から吊り下げた場合とで表示手段に表示される画像の表示内容を変更することもできる。
【００１１】
請求項２に記載の発明によれば、表示手段に表示される画像の上下方向を変更することにより、リーダライタ本体が壁面に取り付けられてリーダライタ本体の上下の設置方向が逆になった場合でも、表示手段に表示された画像を正しい方向に変更することで、利用者が画像を常に認識し易くすることができる。
【図面の簡単な説明】
【００１２】
【図１】本発明に係る非接触リーダライタの第１実施形態を示す斜視図である。
【図２】図１の縦断面図である。
【図３】図１の側面図である。
【図４】図１の背面図である。
【図５】図１の化粧パネルの裏側を示す斜視図である。
【図６】本発明に係る非接触リーダライタの第１実施形態の制御系を示すブロック図である。
【図７】図６の圧力センサが圧力を検出していない状態を示す正面図である。
【図８】図６の圧力センサが圧力を検出していない状態を示す断面図である。
【図９】図６の圧力センサが圧力を検出した状態を示す正面図である。
【図１０】第１実施形態の非接触リーダライタの使用状態を示す斜視図である。
【図１１】第１実施形態の非接触リーダライタを壁面に設置した状態を示す斜視図である。
【図１２】本発明に係る非接触リーダライタの第２実施形態の制御系を示すブロック図である。
【発明を実施するための形態】
【００１３】
以下、図面を参照して本発明を実施するための最良の形態について説明する。
【００１４】
なお、以下に説明する実施形態は、記録媒体として例えばＩＣチップが搭載された携帯電話機に記録された情報を非接触にて読み取り、又は書き込む場合の非接触リーダライタに対して本発明を適用した場合の実施の形態である。
【００１５】
（第１実施形態）
図１は本発明に係る非接触リーダライタの第１実施形態を示す斜視図、図２は図１の縦断面図、図３は図１の側面図、図４は図１の背面図、図５は図１の化粧パネルの裏側を示す斜視図である。
【００１６】
なお、図１〜図４は、リーダライタ本体を卓上に設置した状態であり、図１〜図４においては、右側を上側とし、左側を下側として説明する。また、電源ケーブルは、図２のみに示し、他の図面では省略している。
【００１７】
図１〜図４に示すように、リーダライタ本体１は、全体が幅５８ｍｍ、長さ１０８ｍｍ、高さ４５ｍｍである。また、リーダライタ本体１は、箱状に形成された筐体２を有し、この筐体２は、図２に示すように両側面を構成しそれぞれの上辺が傾斜して形成された側面板３，３と、筐体２の蓋板を構成する背面板４と、この背面板４の右側(上側)の端部に固定部材７ａにより固定された係止板５と、背面板４の左側(下側)の端部に固定部材７ｂにより固定された係止板６とを備えている。
【００１８】
ここで、側面板３，３は、それぞれ筐体２の蓋板を構成する背面板４より背面側（下方）に同一の高さで延びており、これにより側面板３，３及び背面板４により筐体２の背面側に凹部８を形成している。また、背面板４は、図４に示すように中央に壁面取付用の取付部としての開口部４ａ及び切欠部４ｃが形成され、これら開口部４ａ及び切欠部４ｃは、予め壁面に取り付けられた掛止ねじ等の掛止手段を用いて壁面に掛けて使用する場合に用いられる。
【００１９】
筐体２の上部開口には、前面板としての化粧パネル９が取り付けられ、その上部開口が化粧パネル９によって覆われる。この化粧パネル９は、右(上)端が折曲して形成される一方、左(下)端が湾曲して形成されている。化粧パネル９は、右(上)端が取付部材としての取付ねじ１０ａにより係止板５に取り付けられる一方、左(下)端が取付部材としての取付ねじ１０ｂにより係止板６に取り付けられる。
【００２０】
化粧パネル９は、これらの取付ねじ１０ａ，１０ｂを取り外すことにより、筐体２から取り外すことができる。すなわち、化粧パネル９は、取付ねじ１０ａ，１０ｂにより筐体２に対して着脱可能に構成されている。また、化粧パネル９は、筐体２の側面板３の上辺が傾斜して形成されているため、筐体２に取り付けられた際、傾斜して取り付けられる。これにより、リーダライタ本体１の前面は、傾斜して形成されることになる。
【００２１】
さらに、化粧パネル９は、図５に示すように透光性を有する材料から構成され、その裏面の印刷範囲において色柄や模様等の印刷部９ａが施されるとともに、後述する面発光パネルに接合する部分が非印刷範囲となり、透光性を有する透光部９ｂとなる。
【００２２】
化粧パネル９の透光部９ｂには、ＩＣチップが搭載された携帯電話機を利用者が翳すための翳し部となる表示手段の一例としてのディスプレイ１１が当接して配置されている。このディスプレイ１１は、本実施形態では図１に示すように例えば携帯電話機の画像１１ａが液晶表示されている。
【００２３】
一方、筐体２内には、図２に示すように後述するＣＰＵ，ＲＡＭ，ＲＯＭ等を搭載した制御基板１２が設置され、この制御基板１２の左右(上下)両端近傍にそれぞれ複数個のＬＥＤ（Light-Emitting Diode）１３が取り付けられ、その上方に反射板１４ａ，１４ｂが配置されている。そして、筐体２内におけるディスプレイ１１の背面側には、例えば長さ５５ｍｍのアンテナ１５が設置されている。
【００２４】
ここで、本実施形態において、背面板４、係止板５，６、固定部材７ａ，７ｂ及び反射板１４ａ，１４ｂは、それぞれ別部材により製作し、互いに接着により一体としたが、これに限らずこれらを金型により一体に成型するようにしてもよい。
【００２５】
また、制御基板１２は、電源ケーブル１６の一端が接続され、この電源ケーブル１６の他端は、背面板４に形成された連通孔４ｂを通してリーダライタ本体１の外部に延びて後述する電源１７に接続されている。
【００２６】
次に、本実施形態の制御系の構成を説明する。図６は本実施形態の制御系の構成を示すブロック図である。
【００２７】
図６に示すように、制御基板１２には、ＬＥＤ１３、制御手段としてのＣＰＵ２０、ＲＦＩＤアンテナ制御回路２１、スピーカ２２、ＲＯＭ２３及びＲＡＭ２４が搭載されている。
【００２８】
制御基板１２に搭載されたＣＰＵ２０は、上記電源１７に接続され、ディスプレイ１１、ＬＥＤ１３、ＲＦＩＤアンテナ制御回路２１、スピーカ２２の各部を制御し、本実施形態では、特にディスプレイ１１に表示される画像１１ａを変更制御するとともに、画像１１ａの上下方向の向きを変更制御する。
【００２９】
ＲＦＩＤアンテナ制御回路２１は、アンテナ１５を介してＩＣチップが搭載された携帯電話機との間で情報の読み取り又は書き込みを行う。スピーカ２２は、携帯電話機の存在をアンテナ１５を介して検知し、その記録された記録情報を読み取る（或いは情報の書き込みを行う）と、所定の音声を放音して、情報の読み取った（或いは書き込んだ）ことを利用者に知らせるようになっている。
【００３０】
ＲＯＭ２３には、ＣＰＵ２０の処理プログラムが予め記録されており、本実施形態では、リーダライタ本体１が壁面に取り付けられた場合にディスプレイ１１に表示される画像１１ａの上下方向を変更する処理プログラムが予め記録されているとともに、予め表示画像データも記録されている。この表示画像データとは、例えば正向き画像データ（第１の画像データ）、逆向き画像データ（第２の画像データ）である。ＲＡＭ２４は、検出手段の一例である圧力センサ２５の検出情報等の各種情報を一時記録する。なお、ディスプレイ１１に表示される画像１１ａの表示画像データは、上記のようにＲＯＭ２３に予め記憶しておく以外に、図示しない外部メモリに予め記憶しておいてもよい。
【００３１】
次に、圧力センサ２５の構造を図７〜図９に基づいて説明する。
【００３２】
図７及び図９は図４の背面板を内側から見た状態を示し、図７及び図８は圧力センサが圧力を検出していない状態を示す正面図，断面図であり、図９は圧力センサが圧力を検出した状態を示す正面図である。
【００３３】
図７及び図８に示すように、圧力センサ２５は、背面板４の内面に設置され、回動軸２６と、この回動軸２６に固定され、当該回動軸２６から背面板４の開口部４ａの切欠部４ｃを横切る長さを有する棒状の回動子２７とを備えている。これら回動軸２６又は回動子２７には、図示しないストッパが取り付けられ、このストッパにより回動子２７が図７に示す位置から反時計方向に回動するのを阻止している。また、回動軸２６には、図示しないばねが取り付けられ、回動子２７が押圧されて所定の角度を回動し、その押圧力を解除すると、上記ばねの付勢力により回動子２７は図７に示す位置に戻るように構成されている。
【００３４】
一方、図７及び図８に示すように壁面Ｗには掛止ねじ２８が取り付けられており、この掛止ねじ２８に開口部４ａを挿し込み、図９に示すようにリーダライタ本体１を下方に押し下げて掛止ねじ２８が切欠部４ｃに嵌り込むようにすると、圧力センサ２５の回動子２７が上記ばねの付勢力に抗して時計方向に所定の角度回動して圧力センサ２５が検出（ＯＮ）状態になる。そして、この圧力センサ２５が検出（ＯＮ）状態になると、ディスプレイ１１に表示される画像１１ａの上下方向の向きが図７から図９に示すように反転（変更）するように切り替えられる。
【００３５】
また、リーダライタ本体１を上方に押し上げ、掛止ねじ２８に対して切欠部４ｃから開口部４ａを経て取り外すと、上記ばねの付勢力により圧力センサ２５の回動子２７が反時計方向に所定の角度回動して圧力センサ２５が非検出（ＯＦＦ）状態になる。そして、この圧力センサ２５が非検出（ＯＦＦ）状態になると、ディスプレイ１１に表示される画像１１ａの上下方向の向きが図７に示すように反転（変更）するように切り替えられて元の表示状態に戻る。
【００３６】
次に、本実施形態の作用を説明する。
【００３７】
図１０に示すように、ＩＣチップが搭載された携帯電話機３０を卓上に設置されたリーダライタ本体１に対して所定距離（１０ｃｍ程度）内に近づくように翳すと、その携帯電話機３０の存在をアンテナ１５を介して検知し、その記録された記録情報を読み取る（或いは情報の書き込みを行う）。
【００３８】
すると、複数個のＬＥＤ１３が点灯し、その光が反射板１４ａ，１４ｂでそれぞれ光軸を変えてディスプレイ１１の側面から入射し、そのディスプレイ１１を面発光させて情報を読み取ったこと、あるいは書き込んだことを利用者に知らせるようになっている。ここで、ディスプレイ１１には、例えば携帯電話機の画像１１ａが表示されており、ＬＥＤ１３を点灯させると、その画像１１ａが発光しているように表示される。
【００３９】
ところで、本実施形態では、図４に示すように背面板４に開口部４ａ及び切欠部４ｃが形成され、これら開口部４ａ及び切欠部４ｃを用いてリーダライタ本体１を図８に示す壁面Ｗに取り付けられた掛止ねじ２８等の掛止手段に掛止する。この場合、図１に示すように下側が低い状態のままのリーダライタ本体１を壁面Ｗに取り付けると、利用者が携帯電話機３０をディスプレイ１１に翳しにくくなる。そのため、本実施形態では、リーダライタ本体１の上下の設置方向を変えてリーダライタ本体１の上側を低い状態とすることで、利用者が携帯電話機３０をディスプレイ１１に翳しやすくしている。
【００４０】
また、図８に示すように壁面Ｗに取り付けられた掛止ねじ２８に開口部４ａを挿し込み、図９に示すようにリーダライタ本体１を下方に押し下げて掛止ねじ２８が切欠部４ｃに嵌り込むようにすると、圧力センサ２５の回動子２７が上記ばねの付勢力に抗して時計方向に所定の角度回動して圧力センサ２５が検出（ＯＮ）状態になる。
【００４１】
そして、この圧力センサ２５が検出（ＯＮ）状態になると、この検出信号をＣＰＵ２０に送出する。ＣＰＵ２０は、圧力センサ２５の検出信号を得て、ディスプレイ１１に表示される画像の上下方向の向きが図９に示すように反転（変更）するように切り替える。これにより、リーダライタ本体１の上下の設置方向を変えた場合でも、図１１に示すようにディスプレイ１１に表示される画像１１ａも上下反転させることができ、見栄えがよくなる。
【００４２】
このように本実施形態では、例えば圧力センサ２５の出力の変化によりＣＰＵ２０に割り込み処理を行わせるようにしている。つまり、ＣＰＵ２０は、圧力センサ２５の出力が変化するまでディスプレイ１１に通常画像（第１の画像）を表示させていれば、次は反転画像（第２の画像）を書き込み、そうでなければその逆を行うようにしている。
【００４３】
また、ＣＰＵ２０は、この制御とは異なり、制御プログラムが常時圧力センサ２５の信号入力ポートを監視していて、圧力センサ２５がＯＮ状態であるならば反転画像（第２の画像）を表示メモリに書き込み、ＯＦＦ状態であるならば通常画像（第１の画像）を表示メモリに書き込み、この動作を所定の時間間隔で繰り返し行うようにしてもよい。
【００４４】
一方、リーダライタ本体１を壁面Ｗから取り外す場合には、リーダライタ本体１を上方に押し上げ、掛止ねじ２８に対して切欠部４ｃから開口部４ａを経て取り外すと、上記ばねの付勢力により圧力センサ２５の回動子２７が反時計方向に所定の角度回動して圧力センサ２５が非検出（ＯＦＦ）状態になる。
【００４５】
そして、この圧力センサ２５が非検出（ＯＦＦ）状態になると、ディスプレイ１１に表示される画像の上下方向の向きが図７に示すように反転（変更）するように切り替えられて元の表示状態に戻る。これにより、リーダライタ本体１を卓上に設置する場合でも、図１に示すように下側が低い状態のままとなり、利用者が携帯電話機３０をディスプレイ１１に翳しやすく、また利用者が非接触リーダライタの存在を確実かつ容易に認識することができる。
【００４６】
このように本実施形態によれば、リーダライタ本体１の前面に配置され、画像を表示するディスプレイ１１と、リーダライタ本体背面に設けられた壁面Ｗ取付用の開口部４ａ及び切欠部４ｃと、これら開口部４ａ及び切欠部４ｃによりリーダライタ本体１が壁面Ｗに取り付けられたことを検出する圧力センサ２５と、壁面Ｗに取り付けられたことを検出した場合に、ディスプレイ１１に表示される画像１１ａを変更制御するＣＰＵ２０とを備えることにより、壁面Ｗに設置してリーダライタ本体１の上下の設置方向が逆になった場合でも、ディスプレイ１１に表示された画像１１ａを正しい方向に変更することで、利用者が画像１１ａを常に認識し易くすることができる。
【００４７】
また、本実施形態によれば、ディスプレイ１１に表示される画像１１ａの上下方向を変更することにより、リーダライタ本体１が壁面Ｗに取り付けられてリーダライタ本体１の上下の設置方向が逆になった場合でも、ディスプレイ１１に表示された画像１１ａを正しい方向に変更することで、利用者が画像１１ａを常に認識し易くすることができる。
【００４８】
さらに、本実施形態によれば、リーダライタ本体１は、箱状に形成された筐体２と、この筐体２に取付ねじ１０ａ，１０ｂにより取り付けられた化粧パネル９とを備え、この化粧パネル９を取付ねじ１０ａ，１０ｂにより筐体２に対して着脱可能としたことにより、化粧パネル９に色柄が施されており、当該色柄を変更する場合、取付ねじ１０ａ，１０ｂを取り外して化粧パネル９を他の色柄の化粧パネルと交換して取り付けることで、化粧パネル９を色柄の異なるものに変更することができる。
【００４９】
そして、本実施形態によれば、筐体２の設置面側に電源ケーブル１６の引出し用の凹部８を形成したことにより、リーダライタ本体１の上下の設置方向が逆になった場合でも、電源ケーブル１６を凹部８を通して引き出すことで、電源ケーブル１６の引き回し部分がリーダライタ本体１の周囲に露出することがなくなり、携帯電話機２０を面発光パネル１１に翳すときに電源ケーブル１６が邪魔になるのを回避することができる。
【００５０】
なお、本実施形態では、リーダライタ本体１を壁面Ｗに取り付けられたことを圧力センサ２５により検出するようにしたが、これに限定されることなく、例えば通常のリミットスイッチ等の検出手段により検出するようにしてもよい。
【００５１】
また、本実施形態では、背面板４に壁面取付用の取付部として開口部４ａを形成したが、これとは逆に背面板４に取付部としてのフックを取り付け、壁面Ｗに当該フックが掛止される部材を予め設けるようにしてもよい。
【００５２】
（第２実施形態）
図１２は本発明に係る非接触リーダライタの第２実施形態の制御系を示すブロック図である。
【００５３】
なお、前記第１実施形態と同一又は対応する部分には同一の符号を付し、前記第１実施形態と異なる構成及び作用のみを説明する。
【００５４】
前記第１実施形態では、検出手段として圧力センサ２５を用いたが、本実施形態では、圧力センサ２５に代えて図１２に示すように傾斜センサ３５を使用している。この傾斜センサ３５は、リーダライタ本体１の傾斜角度が所定角度に達すると、オン、オフ状態をスイッチング出力する機能を備えている。
【００５５】
また、ＲＯＭ２３には、ＣＰＵ２０の処理プログラムが予め記録されており、本実施形態では、リーダライタ本体１の設置角度が所定角度になったときにディスプレイ１１に表示される画像１１ａの表示内容を変更したり、リーダライタ本体１が壁面に取り付けられた場合にディスプレイ１１に表示される画像１１ａの上下方向を変更する処理プログラムが予め記録されているとともに、予め表示画像データも記録されている。この表示画像データとは、例えば正向き画像データ（第１の画像データ）、逆向き画像データ（第２の画像データ）である。
【００５６】
次に、本実施形態の作用を説明する。
【００５７】
リーダライタ本体１が卓上に設置された状態から情報管理者がリーダライタ本体１を首から紐で吊り下げた場合、傾斜センサ３５が検出（ＯＮ）状態になる。この傾斜センサ３５が検出（ＯＮ）状態になると、この検出信号をＣＰＵ２０に送出する。ＣＰＵ２０は、傾斜センサ３５の検出信号を得て、ディスプレイ１１に表示される画像の上下方向の向きが図９に示すように反転（変更）するように切り替える。これにより、リーダライタ本体１を首から紐で吊り下げて上下の設置方向を変えた場合でも、図１１に示すようにディスプレイ１１に表示される画像１１ａも上下反転させることができる。
【００５８】
このように本実施形態によれば、リーダライタ本体１の設置状態をリーダライタ本体１の設置角度に基づいて傾斜センサ３５により検出し、この傾斜センサ３５の検出結果に基づいてディスプレイ１１に表示される画像１１ａをＣＰＵ２０により変更制御することにより、リーダライタ本体１を卓上に設置した場合、壁面Ｗに設置した場合、あるいは情報管理者が首から紐で吊り下げた場合でも、ディスプレイ１１に表示された画像１１ａを正しい方向に変更することで、利用者が画像１１ａを常に認識し易くすることができる。また、例えば卓上に設置した場合と、壁面Ｗに設置した場合及び情報管理者が首から吊り下げた場合とでディスプレイ１１に表示される画像１１ａの表示内容を変更することもできる。
【００５９】
なお、本発明は上記各実施形態に限定されることなく、種々の変更が可能である。例えば、上記実施形態では、記録媒体としてＩＣチップが搭載された携帯電話機３０を用いた例について説明したが、これに限らずＲＦＩＤ等から成るＩＣタグ、ＩＣカードのような他の記録媒体に対しても適用可能である。
【符号の説明】
【００６０】
１  リーダライタ本体
２  筐体
３  側面板
４  背面板
４ａ  開口部（取付部）
４ｃ  切欠部（取付部）
５  係止板
６  係止板
７ａ，７ｂ  固定部材
８  凹部
９  化粧パネル
１０ａ，１０ｂ  取付ねじ
１１  ディスプレイ（表示手段）
１２  制御基板
１３  ＬＥＤ
１４ａ，１４ｂ  反射板
１５  アンテナ
１６  電源ケーブル
２０  ＣＰＵ（制御手段）
２１  ＲＦＩＤアンテナ制御回路
２２  スピーカ
２３  ＲＯＭ
２４  ＲＡＭ
２５  圧力センサ（検出手段）
２６  回動軸
２７  回動子
２８  掛止ねじ
３０  携帯電話機
３５  傾斜センサ（検出手段）
Ｗ  壁面
【図３】
2013020628.tif 000003
【図５】
2013020628.tif 000004
【図７】
2013020628.tif 000005
【図１】
2013020628.tif 000006
【図２】
2013020628.tif 000007
【図４】
2013020628.tif 000008
【図６】
2013020628.tif 000009
【図８】
2013020628.tif 000010
【図９】
2013020628.tif 000011
【図１０】
2013020628.tif 000012
【図１１】
2013020628.tif 000013
【図１２】
2013020628.tif 000014